(57)【特許請求の範囲】
【請求項１】
多数の容器内に流体を注入するためのディスペンスシステムであって、
前記多数の容器を保持するタレットプレートと、
前記タレットプレートの近傍に配置された注入システムと、を備えており、
前記注入システムが、容器に接触させるピストンを含み、
前記ピストンが、上下動可能であり、スライドばねにより上側に付勢されており、
前記ピストンは、前記ピストン内部に上側プレートと、内部ばねと、注入面と、を上から順に備え、前記上側プレートと前記内部ばねは、前記ピストン内で移動可能であり、前記注入面は、前記ピストンに固定されており、前記上側プレートが下に押されたときに前記内部ばねによりピストンが下降し、前記注入面が前記容器に対して押圧されるように構成され、
前記注入面が、前記内部ばねと前記注入面との間を通る導管が接続された注入ポートを中央に有する平板状のガスケットを含み、前記ピストンの内部ばねの力により前記ガスケットと前記容器の一つとを密封し、
前記内部ばねが、前記上側プレートと前記注入面との間で予荷重されている、ディスペンスシステム。
【請求項２】
前記注入システムが、前記ピストンの上側プレート上に配置された偏心カムを含む、請求項１に記載のディスペンスシステム。
【請求項３】
前記偏心カムが、マイクロスイッチカムによって駆動される、請求項２に記載のディスペンスシステム。
【請求項４】
前記マイクロスイッチカムが、複数の戻り止め部およびリミットスイッチを含む、請求項３に記載のディスペンスシステム。
【請求項５】
一対のキャリパーをさらに含み、前記タレットプレートが、タレットピンによって前記一対のキャリパー間に配置されている、請求項１に記載のディスペンスシステム。
【請求項６】
前記タレットピンが、ばね荷重されたブラケットによって前記タレットプレートの近傍の所定の位置に保持され、前記ブラケットを前記ばね荷重に抗して押すことによって取り外し可能である、請求項５に記載のディスペンスシステム。
【請求項７】
タレットプレート駆動モータをさらに含み、前記タレットプレートが、前記駆動モータに通じた歯車の歯を含む、請求項１に記載のディスペンスシステム。
【請求項８】
前記タレットプレートの近傍に配置された排出システムをさらに含む、請求項１に記載のディスペンスシステム。
【請求項９】
前記タレットプレートが、複数のタレットプレート孔を備えており、前記排出システムが、タレットプレートの回転により回転する複数の排出アームを備える、請求項８に記載のディスペンスシステム。
【請求項１０】
前記複数の排出アームが、前記タレットプレートが回転する際に前記複数のタレットプレート孔内に延びる、請求項９に記載のディスペンスシステム。
【請求項１１】
前記排出システムが、ポッドガイドおよびポッド孔を含む、請求項８に記載のディスペンスシステム。
【請求項１２】
前記タレットプレートが、複数のタレットプレート孔内に前記多数の容器を保持するものであり、
このディスペンスシステムが、前記タレットプレートの近傍に配置された排出システムをさらに備え、
前記排出システムが、複数の排出アームの回転により前記多数の容器の１つが押し上げられ前記複数のタレットプレート孔の１つから排出されるように、前記複数のタレットプレート孔の近傍に配置された前記複数の排出アームを含み、
前記タレットプレートの回転により前記複数の排出アームが前記タレットプレートの回転軸と垂直の軸周りに回転する、請求項１に記載のディスペンスシステム。
【請求項１３】
前記排出システムが、ポッドガイド、および前記タレットプレートの近傍に配置されたポッド孔を含む、請求項１２に記載のディスペンスシステム。
【請求項１４】
多数の容器内に流体を注入するための方法であって、
前記多数の容器をタレットプレートの近傍に配置するステップと、
第１の容器を、ばね荷重されたピストンの近傍で回転させるステップと、
前記ばね荷重されたピストンを偏心カムの回転によって前記第１の容器に押圧するステップと、
前記流体を前記容器内に注入するステップと、
前記タレットプレートをさらに回転させるステップと、
前記第１の容器を排出するステップと、を含み、
前記ピストンは、上下動可能であり、スライドばねにより上側に付勢されており、
前記ピストンは、前記ピストン内部に上側プレートと、内部ばねと、注入面と、を上から順に備え、前記上側プレートと前記内部ばねは、前記ピストン内で移動可能であり、前記注入面は、前記ピストンに固定されており、前記上側プレートが下に押されたときに前記内部ばねのばね荷重によりピストンが下降し、前記注入面が前記第１の容器に対して押圧されるように構成され、
前記注入面が、前記内部ばねと前記注入面との間を通る導管が接続された注入ポートを中央に有する平板状のガスケットを含み、前記ピストンの内部ばねのばね荷重の力により前記ガスケットと前記第１の容器とを密封し、
前記内部ばねのばね荷重が、前記上側プレートと前記注入面との間で予荷重されている、方法。
【請求項１５】
前記タレットプレートを回転させる前記ステップが、複数の排出アームを回転させるステップを含む、請求項１４に記載の多数の容器内に流体を注入するための方法。
【請求項１６】
前記複数の排出アームを回転させる前記ステップにより、前記第１の容器が排出される、請求項１５に記載の多数の容器内に流体を注入するための方法。
【発明の詳細な説明】
【技術分野】
【０００１】
本願は、概して飲料ディスペンサに関し、詳細には、取外し可能な回転タレットプレートと協働して、原料ポッドまたは他のタイプの容器からコーヒーや紅茶などの高品質飲料を作る注入機構を有する飲料提供装置に関する。
【背景技術】
【０００２】
当分野では、いくつかの異なるタイプの飲料提供システムが知られている。例えば、パーコレータおよびドリップ型コーヒーメーカが、レギュラーコーヒーまたはアメリカンコーヒーを作るために長い間使用されてきた。コーヒーを淹れるために、熱湯をコーヒー挽き豆または他の原料の容器内を通過させることができる。次いで、コーヒーがポットまたはカップ内に滴下する。同様に、圧力式装置が、エスプレッソ飲料を作るために長い間使用されてきた。エスプレッソを淹れるために、高温加圧水をエスプレッソ用挽き豆または他の原料を通過させることができる。次いで、エスプレッソをカップに注ぐことができる。多くの他のタイプの飲料提供システムも使用されている。
【０００３】
これらの既知の飲料提供システムの１つの欠点は、大規模レストランや他のタイプの小売店での使用に焦点が当てられていることであろう。例えば、高品質のエスプレッソ飲料は、大規模レストランで従来の装置を用いて淹れるには単純に時間がかかりすぎるであろう。同様に、一杯の紅茶を淹れるのにかかる時間は、長すぎるであろう。結果として、飲料が低品質であるか、または顧客が、顧客自身のために淹れられる飲料を求めて他に行くことを選択することになろう。
【０００４】
さらに、レギュラーコーヒーまたはアメリカンコーヒーは、大規模レストランまたは任意の他のタイプの施設では十分な量を作ることができるが、顧客は、その時すぐにその場所で新しく淹れられた飲料を好むであろう。しかしながら、比較的少量のコーヒーまたは他の飲料を淹れることは、大規模レストランまたは任意の他のタイプの施設では、時間や量の観点から実際的または経済的ではない。
【発明の概要】
【発明が解決しようとする課題】
【０００５】
１杯ずつ提供するコーヒーおよび紅茶のディスペンサが、Ｇｒｅｅｎによる自己の米国特許第６，７８６，１３４号（名称：「Ｃｏｆｆｅｅ  ａｎｄ  Ｔｅａ  Ｄｉｓｐｅｎｓｅｒ」）に示されている。この特許は、輸送アセンブリ、装着アセンブリ、注入ステーション、および排出ステーションを備えた飲料提供システムを開示し請求している。この米国特許第６，７８６，１３４号の開示は、参照によりその全容が本明細書に組み入れられる。具体的には、この特許は、支持プレート、アイドラーホイール、および偏心カムによって注入フレームに対して操作可能な注入ヘッドの使用を示している。同様に、排出システムは、ソレノイドおよびスイープアームによって操作されるリフトパッドを使用する。このような装置は、コーヒー、紅茶、または他のタイプの高品質飲料を効率的な時間間隔で１杯ずつ提供するが、この特許に開示されているディスペンサの構成要素をさらに開発することが要望されている。
【課題を解決するための手段】
【０００６】
したがって、本願は、多数の容器内に流体を注入するためのディスペンスシステムを開示する。ディスペンスシステムは、容器を保持するタレットプレートおよびタレットプレートの近傍に配置される注入システムを備えてもよい。注入システムは、容器に接触させるピストンを備えてもよい。ピストンは、内部ばねが注入面を容器に対して押圧するように内部ばねに通じた注入面を備えてもよい。
【０００７】
注入システムは、ピストンに通じた偏心カムを備えてもよい。偏心カムは、マイクロスイッチカムによって駆動することができる。マイクロスイッチカムは、多数の凹部およびリミットスイッチを備えてもよい。注入面は、ガスケットおよびガスケット内に配置される注入ポートを備えてもよい。内部ばねは、予荷重されたばねを備えてもよい。
【０００８】
ディスペンスシステムは、一対のキャリパーをさらに備えてもよく、タレットプレートは、タレットピンによって一対のキャリパー間に配置してもよい。タレットピンは、ばね荷重されたブラケットによってタレットプレートの近傍の所定の位置に保持することができる。ディスペンスシステムは、タレットプレート駆動モータをさらに備えてもよく、タレットプレートは、駆動モータに通じた歯車の歯を備えてもよい。
【０００９】
ディスペンスシステムは、タレットプレートの近傍に配置される排出システムを備えてもよい。タレットプレートは、多数のタレットプレート孔を備えてもよく、排出システムは、タレットプレートの回転により回転する多数の排出アームを備えてもよい。多数の排出アームは、タレットプレートが回転する際にタレットプレート孔内に延びる。また、排出システムは、ポッドガイドおよびポッド孔も備えてもよい。
【００１０】
本願は、多数の容器内に流体を注入するためのディスペンスシステムをさらに開示する。ディスペンスシステムは、多数のタレットプレート孔内に多数の容器を保持するタレットプレート、タレットプレートの近傍に配置される注入システム、およびタレットプレートの近傍に配置される排出システムを備えてもよい。排出システムは、排出アームの回転により多数の容器の１つがタレットプレート孔の１つから排出されるように、タレットプレート孔の近傍に配置される多数のアームを備えてもよい。タレットプレートの回転により、多数の排出アームが回転する。排出システムは、ポッドガイド、およびタレットプレートの近傍に配置されるポッド孔を備えてもよい。
【００１１】
本願は、多数の容器内に流体を注入するための方法も開示する。この方法は、多数の容器をタレットプレートの近傍に配置するステップと、第１の容器を、ばね荷重された注入ピストンの近傍で回転させるステップと、ばね荷重された注入ピストンを偏心カムの回転によって第１の容器に押圧するステップと、流体を容器内に注入するステップと、タレットプレートをさらに回転させるステップと、第１の容器を排出するステップと、を含む。タレットプレートを回転させるステップは、多数の排出アームを回転させるステップを含んでもよい。多数の排出アームを回転させるステップにより、第１の容器が排出される。
【００１２】
本願の上記および他の特徴は、当業者であれば、添付の図面および特許請求の範囲を参照しながら以下の詳細な説明を読めば明らかになるであろう。
【図面の簡単な説明】
【００１３】
【図１】本明細書に開示する飲料提供装置の上部斜視図である。
【図２】図１の飲料提供装置の別の上部斜視図である。
【図３】図１の飲料提供装置の底部斜視図である。
【図４】図１の飲料提供装置の上面図である。
【図５】図１の飲料提供装置の底面図である。
【図６】ピストンが想像線で示されている、図１の飲料提供装置の注入システムの側方斜視図である。
【図７Ａ】図１の飲料提供装置に使用できるポッドの斜視図である。
【図７Ｂ】図１の飲料提供装置に使用できるポッドの斜視図である。
【図７Ｃ】図１の飲料提供装置に使用できるポッドの斜視図である。
【発明を実施するための形態】
【００１４】
ここで図面を参照されたい。各図面では、同じ参照符号は、同じ部品を示している。図１〜図５は、本明細書に開示する飲料提供装置１００を示している。用語「飲料提供装置」を使用するが、本明細書に開示する装置は、流体または他の物質を多数の容器内に注入することを伴うあらゆるプロセスに用いることができる。また、飲料提供装置１００は、コーヒーおよび紅茶ディスペンサ、または上で参照した米国特許第６，７８６，１３４号に開示されているような他のタイプのディスペンサの他の構成要素と共に用いることもできる。これらの他のシステムには、限定されるものではないが、ボイラを備えた水制御システム、装着アセンブリ、様々なタイプの制御手段、および他のシステムが含まれうる。飲料提供装置１００に使用できる同様のディスペンスシステムには、米国特許出願公開第２００４／０２５５７９０号（名称：「Ｃｏｆｆｅｅ  ａｎｄ  Ｔｅａ  Ｄｉｓｐｅｎｓｅｒ」）および同第２００５／０１８８８５４号（名称：「Ｃｏｆｆｅｅ  ａｎｄ  Ｔｅａ  Ｄｉｓｐｅｎｓｅｒ」）に開示されているものも含まれうる。これらの特許および特許出願の開示は、参照によりそれらの全容が本明細書に組み入れられるものとする。同様のシステムを、飲料提供装置１００に用いてもよい。飲料提供装置１００は、ボイラガード１１０または同様のタイプの取付け手段によってこれらの他のシステムに取り付けることができる。ボイラガード１１０は、図１には示されているが、飲料提供装置１００の他の構成要素を見やすくするために他の図面では省略されている。
【００１５】
飲料提供装置１００は、多数の原料ポッド１１５または他のタイプの容器と共に用いることができる。飲料提供装置１００に使用可能なポッド１１５の例が、図７Ａ〜図７Ｃに示されており、Ｋｉｒｓｃｈｎｅｒによる自己の米国特許第６，９４８，４２０号（名称「Ｃｏｆｆｅｅ  ａｎｄ  Ｔｅａ  Ｐｏｄ」）に開示されている。同様のポッドが、Ｋｉｒｓｃｈｎｅｒによる米国特許出願公開第２００５／０１８３５８１号（名称「Ｃｏｆｆｅｅ  ａｎｄ  Ｔｅａ  Ｐｏｄ」）、Ｋｉｒｓｃｈｎｅｒによる米国特許出願公開第２００５／０２４１４８９号（名称「Ｃｏｆｆｅｅ  ａｎｄ  Ｔｅａ  Ｐｏｄ」）（特許査定済み）、Ｋｉｒｓｃｈｎｅｒによる米国特許出願公開第２００６／０１９６３６４号（名称「Ｃｏｆｆｅｅ  ａｎｄ  Ｔｅａ  Ｐｏｄ」）、Ｋｉｒｓｃｈｎｅｒによる米国特許出願公開第２００７／０１８１００５号（名称「Ｓｙｓｔｅｍ  ｆｏｒ  Ｖａｒｙｉｎｇ  Ｃｏｆｆｅｅ  Ｉｎｔｅｎｓｉｔｙ」）、Ｋｉｒｓｃｈｎｅｒによる米国特許出願公開第２００８／００２８９４８号（名称「Ｐｏｄ  ｆｏｒ  Ｄｉｓｐｅｒｓｉｂｌｅ  Ｍａｔｅｒｉａｌｓ」）、および同様のタイプの装置に開示されている。これらの特許および特許出願の開示は、参照によりそれらの全容が本明細書に組み入れられるものとする。他または複数型の容器を、飲料提供装置１００に用いてもよい。
【００１６】
飲料提供装置１００は、基部１２０を備えてもよい。基部１２０は、下側キャリパー１３０および上側キャリパー１４０を備えてもよい。下側および上側キャリパー１３０、１４０は、成型プラスチックまたは任意の従来のタイプの材料から形成することができる。下側および上側キャリパー１３０、１４０は、後述するまたは所望とする構成要素を取付けるための多数の区画を備えるように成型または形成することができる。下側および上側キャリパー１３０、１４０は、多数のボルト１５０または他のタイプの結合手段によって結合することができる。
【００１７】
飲料提供装置１００は、下側キャリパー１３０と上側キャリパー１４０との間にタレットプレート１６０を備えてもよい。タレットプレート１６０は、概ねディスク状の形状にすることができるが、他の形状を用いてもよい。タレットプレート１６０は、成型プラスチック、ステンレス鋼やアルミニウムなどの従来の金属、または同様のタイプの実質的に腐食しない材料から形成することができる。タレットプレート１６０は、このタレットプレートを貫通して配置される多数のポッド孔１７０を備えてもよい。ポッド孔１７０は、上記した原料ポッド１１５または他のタイプの容器を収容できる大きさにすることができる。ポッド孔１７０の大きさおよび個数は、変更してもよい。タレットプレート１６０は、このタレットプレートに形成されるかまたは取り付けられる多数の歯車の歯１８０を備えてもよい。詳細を後述するように、歯車の歯１８０を用いて、タレットプレート１６０を駆動することができる。また、タレットプレート１６０は、このタレットプレートに形成されるかまたは取り付けられる多数の戻り止め部も備えてもよい。詳細を後述するように、これらの戻り止め部１９０を用いて、タレットプレート１６０の前進を制御することができる。他のタイプの制御または駆動手段を、タレットプレート１６０の前進の制御に用いてもよい。
【００１８】
タレットプレート１６０は、このタレットプレートを貫通して延在するタレットピン２００に配置し、その近傍にて回転可能にすることができる。タレットピン２００は、上側キャリパー１４０、タレットプレート１６０、下側キャリパー１３０を貫通して延在させ、ピンクリップ２１０およびホイールブラケット２２０の近傍に配置することができる。タレットピン２００は、熱可塑性プラスチック、従来の金属、または他のタイプの実質的に腐食しない材料から形成することができる。タレットピン２００は、挿入および取外しの際にピンクリップ２１０およびホイールブラケット２２０と協働することができる。ピンクリップ２１０およびホイールブラケット２２０は、下側キャリパー１３０に取付けることができる。ホイールブラケット２２０の一端を、タレットピン２００の端部とピンクリップ２１０との間に配置することができる。ホイールブラケット２２０の他端は、ばね２３０でばね荷重することができる。ホイールブラケット２２０を押し下げて、タレットピン２００を、ピンクリップ２１０および飲料提供装置１００全体から取り外すことができる。次いで、ばね２３０が、ホイールブラケット２２０およびピンクリップ２１０をロック位置に押し戻す。
【００１９】
下側キャリパー１３０に、タレットプレート駆動モータ２４０を配置することができる。タレットプレート駆動モータ２４０は、従来のＤＣモータまたは同様のタイプの電気駆動装置とすることができる。タレットプレート駆動モータ２４０は、歯車２５０に通じさせることができる。歯車２５０は、従来の設計とすることができる。歯車２５０は、タレットプレート１６０と共に回転するようにタレットプレート１６０の歯車の歯１８０に噛合することができる。他のタイプの駆動手段を用いてもよい。
【００２０】
下側キャリパー１３０に、タレットプレートリミットスイッチ２６０を配置することができる。このリミットスイッチ２６０は、駆動モータ２４０に接続し、タレットプレート１６０の戻り止め部１９０と協働してタレットプレート１６０の前進を制御することができる。リミットスイッチ２６０は、従来のタッチスイッチとすることができる。同様のタイプの制御手段を、リミットスイッチ２６０に用いてもよい。タレットプレート駆動モータ２４０は、リミットスイッチ２６０によって次の戻り止め部１９０が到達したことが決定されるまでタレットプレート１６０を前進させる。
【００２１】
飲料提供装置１００は、上側キャリパー１４０に取り付けられた注入システム２７０をさらに含む。注入システム２７０は、上側キャリパー１４０のピストンモールド２９０内に配置されるピストン２８０を備えてもよい。ピストン２８０は、成型プラスチックまたは同様のタイプの材料から形成することができる。図６に示されているように、ピストン２８０は、両側に一対のスライド３００が設けられた概ね円形の形状とすることができる。スライド３００は、内部にスライドばね３１０を備えてもよい。スライド３００は、ピストンモールド２９０の一部であるスライドガイド３２０内に配置することができる。スライドガイド３２０が、ピストンモールド２９０内でのピストン２８０の上下操作を可能にしている。ピストン２８０は、上側プレート３３０、内部ばね３４０、および下側ガスケット３５０を備えてもよい。注入ポート３６０は、下側ガスケット３５０内に配置することができる。注入ポート３６０は、高圧導管３７０と連通させることができる。注入ポート３６０は、高圧導管３７０によってポッド１１５に流体を送達することができる。
【００２２】
また、注入システム２７０は、注入駆動システム３８０を備えてもよい。注入駆動システム３８０は、偏心カム３９０を備えてもよい。偏心カム３９０は、ピストン２８０の上側プレート３３０と共に運動するように上側プレート３３０に通じることができる。偏心カム３９０は、駆動軸４００上に配置することができる。駆動軸４００は、多数のリテーナ４１０内に配置することができる。リテーナ４１０は、上側キャリパー１４０のピストンモールド２９０の近傍に配置することができる。駆動軸４００は、駆動モータ４２０によって駆動することができる。駆動モータ４２０は、上記したタレットプレート駆動モータ２４０に類似した従来のＤＣモータまたは同様のタイプの電気駆動装置とすることができる。
【００２３】
駆動モータ４２０は、マイクロスイッチカム４３０によって制御することができる。マイクロスイッチカム４３０は、表面に多数の戻り止め部４４０を備えてもよい。マイクロスイッチカム４３０は、マイクロスイッチ４５０と協働する。また、マイクロスイッチ４５０は、上側キャリパー１４０に配置されている。マイクロスイッチ４５０は、従来のタッチスイッチとすることができる。他のタイプの制御手段をマイクロスイッチ４５０に用いてもよい。駆動モータ４２０は、次の戻り止め部４４０に達するまで駆動軸４００およびマイクロスイッチカム４３０を駆動する。
【００２４】
また、駆動軸４００の回転により、偏心カム３９０も回転する。偏心カム３９０の回転により、ピストン２８０が下降し、下側ガスケット３５０および注入ポート３６０が、ポッド１１５または別のタイプの容器に接触することができる。ピストン２８０の力により、ガスケット３５０とポッド１１５が密閉される。内部ばね３４０は、調整の必要性をなくすために予荷重され、結合を防止している。駆動システム３８０の柔軟性は、上記した米国特許第６，７８６，１３４号で使用されている固定リンク仕掛けとは対照的である。固定リンク仕掛けを使用すると、一般に、適切な密閉および適切な動作を維持するために定期的な調整が必要である。駆動軸４００のさらなる回転により、ピストン２８０が上昇し、ポッド１１５との接触が解除される。
【００２５】
飲料提供装置１００は、排出システム４５０も備えてもよい。排出システム４５０は、下側キャリパー１３０の下側に配置される排出ホイール４７０を備えてもよい。排出ホイール４７０は、４つの排出アーム４８０を備えた概ね星状の形状とすることができる。任意の数のアーム４８０を用いることができる。排出ホイール４７０は、ホイール軸４９０によってホイールブラケット２２０に接続することができる。排出アーム４８０は、タレットプレート１６０のポッド孔１７０内の下側に延在する。タレットプレート孔１７０と排出アーム４８０との間の相互作用により、タレットプレート１６０が回転するときに排出ホイール４７０が回転する。したがって、排出ホイール４７０および排出システム４５０は、自己推進することができる。このような自己推進システム４５０は、上記した米国特許第６，７８６，１３４号に示されている電気／機械システムおよび関連する制御システムとは対照的である。また、排出アーム４８０の長さは、排出アーム４８０およびタレットプレート１６０が回転する際にポッド１１５または孔１７０内の他の物体を排出アーム４８０が押し上げるのに十分である。
【００２６】
また、排出システム４６０は、ポッドガイド５００を備えてもよい。ポッドガイド５００は、概ねＵ字型に延びた形状とすることができる。他の形状をマイクロスイッチ４５０に用いてもよい。ポッドガイド５００は、上側キャリパー１４０上に配置することができる。排出ホイール４７０およびポッドガイド５００は、タレットプレート１６０が回転して排出アーム４８０がポッド孔１７０からポッド１１５または他の物体を排出するときに、ポッド１１５がポッドガイド５００に落下するように配置することができる。ポッドガイド５００内に、ポッドスタビライザ５１０を配置してもよい。ポッドスタビライザ５１０は、ポッドガイド５００内に配置される下方ランプとしてもよい。ポッドスタビライザ５１０は、拡張排出ポート５２０につなげてもよい。ポッド１１５がポッドガイド５００内に落下すると、ポッド１１５は、ポッドスタビライザ５１０を下方に滑動して、排出ポート５２０を通って排出される。
【００２７】
使用の際、飲料提供装置１００を用いて、タレットプレート１７０内のポッド１１５または他の容器を前進させ、注入システム２７０によって水や他の希釈剤を注入し、次いで排出システム４６０でポッド１１５を排出することによってコーヒー、紅茶、または他の飲料を提供することができる。具体的には、多数のポッド１１５を、タレットプレート１６０のポッド孔１７０内に配置することができる。タレットプレート１６０は、リミットスイッチ２６０に接続されたタレットプレート駆動モータ２４０によって前進させることができる。
【００２８】
各ポッド１１５が注入システム２７０の近傍に配置されると、ポッド１１５が、ピストン２８０によって接触することができる。高温加圧水を、注入ポート３６０からポッド１１５内を通過させることができる。偏心カム３９０が上側プレート３３０を押して下側ガスケット３５０がポッド１１５の近傍に配置されるように、ピストン２８０を、注入駆動システム３８０によって配置することができる。偏心カム３９０は、マイクロスイッチカム４３０およびマイクロスイッチ４５０の制御下の駆動モータ４２０を用いて駆動軸４００によって駆動させることができる。ピストン２８０は、十分な量の水がポッド１１５内を通過するまでポッド１１５の近傍の所定の位置に留まる。次いで、注入駆動システム３８０が、偏心カム３９０の回転を継続し、ピストン２８０が元の位置に戻される。
【００２９】
次いで、タレットプレート１６０が、使用済みポッド１１５が排出システム４６０に接触するまで、次のステーションに回転する。排出ホイール４７０の排出アーム４８０により、ポッド１１５が押し上げられてポッド孔１７０からポッドガイド５００内に入れられ、ポッドスタビライザ５２０を下り、排出ポート５２０から排出される。次いで、ポッド１１５を、従来の要領で廃棄またはリサイクルすることができる。
【００３０】
前述は本出願の好適な実施形態のみに関し、添付の特許請求の範囲およびその均等物によって規定される本発明の全体的な趣旨および範囲から逸脱することなく当業者が様々な変更および改良を実施できることは明らかであろう。
【図１】
0005902476.tif 000002
【図２】
0005902476.tif 000003
【図３】
0005902476.tif 000004
【図４】
0005902476.tif 000005
【図５】
0005902476.tif 000006
【図６】
0005902476.tif 000007
【図７Ａ】
0005902476.tif 000008
【図７Ｂ】
0005902476.tif 000009
【図７Ｃ】
0005902476.tif 000010